(57)【特許請求の範囲】
【請求項１】
表示画面の表示を制御する制御装置であって、
前記表示画面に表示するための表示内容を出力する少なくとも１つの表示制御部と、
前記表示制御部から出力された前記表示内容を前記表示画面に表示することによって、前記表示画面における表示の更新を行う表示部と、
前記表示制御部において障害が発生したことを検知し、障害検知情報を出力すると共に前記表示制御部を再起動させる障害監視部と、
前記表示制御部において発生した障害の復旧を検知し、復旧検知情報を出力する復旧監視部と、
前記障害検知情報に応答して、前記表示の更新を停止し、前記復旧検知情報に応答して、前記表示の更新を開始するように前記表示部を制御する表示更新制御部とを備える、制御装置。
【請求項２】
前記表示制御部は、前記表示制御部における内部状態が変化する度に、前記内部状態を示す情報を含む状態更新情報を前記復旧監視部へと出力し、
前記復旧監視部は、前記表示制御部から出力された前記状態更新情報を記憶する状態更新情報記憶部を含み、前記障害検知情報を検知する前に前記状態更新情報記憶部に記憶された最新の状態更新情報と、前記障害検知情報を検知した後に、前記表示制御部から出力された状態更新情報とが一致することによって、前記障害の復旧を検知することを特徴とする、請求項１に記載の制御装置。
【請求項３】
前記内部状態は、前記表示内容を含むことを特徴とする、請求項２に記載の制御装置。
【請求項４】
前記表示制御部は、その内部状態が変化する度に、前記内部状態を示す情報を含む状態更新情報を前記復旧監視部へと出力し、
前記復旧監視部は、前記障害検知情報を検知した後に、前記表示制御部から前記状態更新情報が出力されることによって、前記障害の復旧を検知することを特徴とする、請求項１に記載の制御装置。
【請求項５】
前記復旧監視部は、前記障害検知情報を検知してから所定時間が経過したときに、復旧中断情報を出力し、
前記表示更新制御部は、前記復旧中断情報の出力に応答して、前記表示の更新を開始するように前記表示部を制御することを特徴とする、請求項１に記載の制御装置。
【請求項６】
前記障害監視部は、前記表示制御部を再起動させてから前記復旧検知情報を検知するまでの期間に、前記表示制御部において更に障害が発生したことを検知した場合に、前記表示制御部を終了させることを特徴とする、請求項１に記載の制御装置。
【請求項７】
外部からの入力を入力通知情報として、前記表示制御部へと出力する入力通知部と、
前記障害検知情報の出力に応答して、前記入力通知部による前記入力通知情報の前記表示制御部への出力を停止させ、前記復旧検知情報の出力に応答して、前記入力通知部による前記入力通知情報を前記表示制御部への出力を開始させる入力通知制御部とを更に備えることを特徴とする、請求項１に記載の制御装置。
【請求項８】
前記復旧監視部は、前記入力通知部から出力された前記入力通知情報が予め定められた特定の入力通知情報と一致する場合には、前記表示制御部を終了させた後、前記特定の入力通知情報に対応した態様で前記表示制御部を起動させると共に、復旧中断情報を出力し、
前記入力通知制御部は、前記障害検知情報の出力に応答して、前記入力通知情報を前記復旧監視部へと出力し、前記復旧中断情報の出力に応答して、前記入力通知情報を前記表示制御部へと出力するように前記入力通知部を制御し、
前記表示更新制御部は、前記復旧中断情報の出力に応答して、前記表示の更新を開始するように前記表示部を制御することを特徴とする、請求項７に記載の制御装置。
【請求項９】
表示画面を有する携帯端末装置であって、
前記表示画面に表示するための表示内容を出力する少なくとも１つの表示制御部と、
前記表示制御部から出力された前記表示内容を前記表示画面に表示することによって、前記表示画面における表示の更新を行う表示部と、
前記表示制御部において障害が発生したことを検知し、障害検知情報を出力すると共に前記表示制御部を再起動させる障害監視部と、
前記表示制御部において発生した障害の復旧を検知し、復旧検知情報を出力する復旧監視部と、
前記障害検知情報に応答して、前記表示の更新を停止し、前記復旧検知情報に応答して、前記表示の更新を開始するように前記表示部を制御する表示更新制御部とを備える、携帯端末装置。
【請求項１０】
外部の表示画面への表示を制御する携帯端末装置であって、
前記表示画面に表示するための表示内容を出力する少なくとも１つの表示制御部と、
前記表示制御部から出力された前記表示内容を前記表示画面に表示することによって、前記表示画面における表示の更新を行う表示部と、
前記表示制御部において障害が発生したことを検知し、障害検知情報を出力すると共に前記表示制御部を再起動させる障害監視部と、
前記表示制御部において発生した障害の復旧を検知し、復旧検知情報を出力する復旧監視部と、
前記障害検知情報に応答して、前記表示の更新を停止し、前記復旧検知情報に応答して、前記表示の更新を開始するように前記表示部を制御する表示更新制御部とを備える、携帯端末装置。
【請求項１１】
表示画面を有する端末装置を動作させるためのプログラムであって、
前記端末装置を、
前記表示画面に表示するための表示内容を出力する少なくとも１つの表示制御手段と、
前記表示制御手段から出力された前記表示内容を前記表示画面に表示することによって、前記表示画面における表示を更新する表示手段と、
前記表示制御手段において障害が発生したことを検知し、障害検知情報を出力すると共に前記表示制御手段を再起動する障害監視手段と、
前記表示制御手段において発生した障害の復旧を検知し、復旧検知情報を出力する復旧監視手段と、
前記障害検知情報に応答して、前記表示の更新を停止し、前記復旧検知情報に応答して、前記表示の更新を開始するように前記表示手段を制御する表示更新制御手段として機能させる、プログラム。
【請求項１２】
表示画面の表示を制御する集積回路であって、
前記表示画面に表示するための表示内容を出力する少なくとも１つの表示制御部と、
前記表示制御部から出力された前記表示内容を前記表示画面に表示することによって、前記表示画面における表示の更新を行う表示部と、
前記表示制御部において障害が発生したことを検知し、障害検知情報を出力すると共に前記表示制御部を再起動させる障害監視部と、
前記表示制御部において発生した障害の復旧を検知し、復旧検知情報を出力する復旧監視部と、
前記障害検知情報に応答して、前記表示の更新を停止し、前記復旧検知情報に応答して、前記表示の更新を開始するように前記表示部を制御する表示更新制御部として機能する回路が集積される、集積回路。
【発明の詳細な説明】
【技術分野】
【０００１】
本発明は、携帯端末装置及びプログラムに関し、特に、表示画面への表示を制御する制御装置、携帯端末装置及びプログラムに関するものである。
【背景技術】
【０００２】
従来、画面表示を行う機器において障害が発生した場合、機器が障害から復旧した後に、障害発生時に表示していた画面から表示を再開して、使用者の利便性を向上させる障害復帰方法が知られている（例えば、特許文献１参照）。
【０００３】
図９は、特許文献１に開示されている従来の障害復帰方法を実現する表示システムの要部を示すブロック図である。図９において、表示システムは、表示制御装置９０２と、表示装置９０３と、監視装置９０４とを備えている。
【０００４】
表示制御装置９０２は、外部から受信した各種の表示内容の表示をスケジューリングし、表示内容の画面を切り替えながら表示装置９０３に出力する。また、表示制御装置９０２は、表示内容を切り替える際に、表示すべき内容を画面切替情報として監視装置９０４に送信する。
【０００５】
表示装置９０３は、ディスプレイ等の表示画面を有し、表示制御装置９０２から出力された表示内容を表示画面に表示する。
【０００６】
監視装置９０４は、表示制御装置９０２を監視し、表示制御装置に障害が発生したことを検知すると、表示制御装置９０２に発生した障害を復旧させる。より詳細には、監視装置９０４は、表示制御装置９０２から出力される画面切替情報を受信し、受信した画面切替情報を逐次ロギング情報として内部メモリに格納する。監視装置９０４は、予め設定された時間内に画面切替情報を受信することができない場合には、表示制御装置９０２が障害状態にあると判断して、表示制御装置９０２を再起動させる。そして、表示制御装置９０２から出力された最新の画面切替情報を内部メモリから読み出し、読み出した最新の画面切替情報を障害履歴情報として内部メモリにおける別のエリアに一旦保存した後、保存した障害履歴情報を表示制御装置に送信する準備をする。
【０００７】
表示制御装置９０２は、再起動処理が完了すると、正常に動作を開始したことを通知する信号を監視装置９０４へと送信する。監視装置９０４は、表示制御装置９０２から送信された当該通知信号を受信することによって、表示制御装置９０２が正常動作を開始したと判断する。そして、監視装置９０４は、内部メモリに一時的に保存していた障害履歴情報を表示制御装置９０２へと送信する。
【０００８】
表示制御装置９０２は、監視装置９０４から送信された障害履歴情報を受信し、受信した障害履歴情報に基づいて、障害発生前に記憶していた表示内容を用いて、障害発生時に表示装置９０３に表示されていた表示内容から順に、表示装置９０３に表示内容を送信する。表示装置９０３は、表示制御装置９０２から送信された表示内容を画面に表示する。
【０００９】
このような従来の障害復旧方法によれば、表示制御装置９０２に発生した障害が復旧した後、表示装置９０３における表示画面には、障害発生時に表示されていた表示内容が表示される。
【特許文献１】特開２００２−１０８６５７号公報（第３−４頁、図１）
【発明の開示】
【発明が解決しようとする課題】
【００１０】
上記のような従来の障害復帰方法を実現する表示システムにおいては、監視装置は、表示制御装置を再起動させた後に、障害履歴情報として障害発生時に表示していた表示内容を表示制御部に送信する。そして、表示制御部は、監視装置から送信された障害履歴情報に基づいて、障害発生時に表示していた表示内容を再度表示する。
【００１１】
したがって、表示制御部の再起動処理中には、表示制御部の起動中に表示される表示内容や、起動後の初期画面として表示される表示内容等が、表示装置の画面に表示されることが考えられる。表示制御装置に障害が発生してから復旧するまでの間に、そのような表示内容が表示装置の画面に表示された場合、表示装置の画面を参照するユーザは、意図しない表示内容の変化により混乱するおそれがある。また、ユーザの意図しない表示内容の変化によって、ユーザの操作性を損なうことが考えられる。
【００１２】
それ故に、本発明の目的は、端末装置において障害が発生してから復旧されるまでの間に、表示画面に不必要な表示内容が表示されることを防止できる制御装置を提供することである。
【課題を解決するための手段】
【００１３】
上記のような課題を解決するために、第１の局面は、表示画面の表示を制御する制御装置に向けられている。当該制御装置は、表示画面に表示するための表示内容を出力する少なくとも１つの表示制御部と、表示制御部から出力された表示内容を表示画面に表示することによって、表示画面における表示の更新を行う表示部と、表示制御部において障害が発生したことを検知し、障害検知情報を出力すると共に表示制御部を再起動させる障害監視部と、表示制御部において発生した障害の復旧を検知し、復旧検知情報を出力する復旧監視部と、障害検知情報に応答して、表示の更新を停止し、復旧検知情報に応答して、表示の更新を開始するように表示部を制御する表示更新制御部とを備える。
【００１４】
このような構成によれば、表示制御部において障害が発生してから復旧されるまでの間、表示部による表示の更新が停止する。これにより、障害の復旧過程において、表示画面に不要な表示内容が表示されることが防止される。
【００１５】
この場合、表示制御部は、表示制御部における内部状態が変化する度に、内部状態を示す情報を含む状態更新情報を復旧監視部へと出力し、復旧監視部は、表示制御部から出力された状態更新情報を記憶する状態更新情報記憶部を含み、障害検知情報を検知する前に状態更新情報記憶部に記憶された最新の状態更新情報と、障害検知情報を検知した後に、表示制御部から出力された状態更新情報とが一致することによって、障害の復旧を検知しても良い。
【００１６】
このような構成によれば、表示制御部の内部状態が、障害が発生する直前の状態と一致したときに、表示部は、表示の更新を再開する。これにより、制御装置は、障害が発生する直前の状態と同じ状態から処理を継続することが可能となる。
【００１７】
更に、内部状態は、表示内容を含むのがより好ましい。
【００１８】
このような構成によれば、表示制御部に含まれる表示内容が、障害が発生する直前の状態と一致したときに、表示部は、表示の更新を再開する。これにより、制御装置は、障害の発生前後で途切れることなく、表示画面に表示内容を表示することが可能となる。
【００１９】
また、表示制御部は、その内部状態が変化する度に、内部状態を示す情報を含む状態更新情報を復旧監視部へと出力し、復旧監視部は、障害検知情報を検知した後に、表示制御部から状態更新情報が出力されることによって、障害の復旧を検知しても良い。
【００２０】
このような構成によれば、復旧監視部は、表示制御部が動作を再開したことに基づいて障害の復旧を検知する。これにより、復旧監視部は、表示制御部が復旧したことを確実に検知することが可能となる。
【００２１】
また、復旧監視部は、障害検知情報を検知してから所定時間が経過したときに、復旧中断情報を出力し、表示更新制御部は、復旧中断情報の出力に応答して、表示の更新を開始するように表示部を制御しても良い。
【００２２】
このような構成によれば、復旧監視部が表示制御部に障害が発生してから所定時間内に障害の復旧を検知しない場合には、表示部は、表示の更新を再開する。これにより、表示制御部が復旧できない場合に、表示部による表示の更新が停止した状態が継続するのを回避することが可能となる。
【００２３】
また、障害監視部は、表示制御部を再起動させてから復旧検知情報を検知するまでの期間に、表示制御部において更に障害が発生したことを検知した場合に、表示制御部を終了させても良い。
【００２４】
このような構成によれば、表示制御部の復旧処理中に更に障害が発生すると、障害監視部は、表示制御部を終了させる。これにより、表示制御部を再起動することによって復旧できない障害が発生した場合に、表示制御部に連続して障害が発生することを回避することが可能となる。
【００２５】
また、外部からの入力を入力通知情報として、表示制御部へと出力する入力通知部と、障害検知情報の出力に応答して、入力通知部による入力通知情報の表示制御部への出力を停止させ、復旧検知情報の出力に応答して、入力通知部による入力通知情報を表示制御部への出力を開始させる入力通知制御部とを更に備えても良い。
【００２６】
このような構成によれば、表示制御部に障害が発生した際に、入力通知部は、外部から入力された入力通知情報の表示制御部への出力を停止する。これにより、障害復旧過程において、外部入力に起因する新たな障害が発生することを防止できる。
【００２７】
この場合、復旧監視部は、入力通知部から出力された入力通知情報が予め定められた特定の入力通知情報と一致する場合には、表示制御部を終了させた後、特定の入力通知情報に対応した態様で表示制御部を起動させると共に、復旧中断情報を出力し、入力通知制御部は、障害検知情報の出力に応答して、入力通知情報を復旧監視部へと出力し、復旧中断情報の出力に応答して、入力通知情報を表示制御部へと出力するように入力通知部を制御し、表示更新制御部は、復旧中断情報の出力に応答して、表示の更新を開始するように表示部を制御しても良い。
【００２８】
このような構成によれば、表示制御部の復旧処理中に特定の入力が発生すると、復旧監視部は、表示制御部の再起動を中断して、特定の入力通知情報に対応する態様で表示制御部を起動する。これにより、表示制御部の復旧処理の間においても、表示制御部は、外部からの特定の入力に対応する処理を優先して実行することが可能となる。
【００２９】
第２の局面は、表示画面を有する携帯端末装置に向けられている。当該携帯端末装置は、表示画面に表示するための表示内容を出力する少なくとも１つの表示制御部と、表示制御部から出力された表示内容を表示画面に表示することによって、表示画面における表示の更新を行う表示部と、表示制御部において障害が発生したことを検知し、障害検知情報を出力すると共に表示制御部を再起動させる障害監視部と、表示制御部において発生した障害の復旧を検知し、復旧検知情報を出力する復旧監視部と、障害検知情報に応答して、表示の更新を停止し、復旧検知情報に応答して、表示の更新を開始するように表示部を制御する表示更新制御部とを備える。
【００３０】
このような構成によれば、携帯端末装置の表示制御部において障害が発生してから復旧されるまでの間、表示部による表示の更新が停止する。これにより、障害の復旧過程において、携帯端末装置の表示画面に不要な表示内容が表示されることが防止される。
【００３１】
第３の局面は、外部の表示画面への表示を制御する携帯端末装置に向けられている。当該携帯端末装置は、表示画面に表示するための表示内容を出力する少なくとも１つの表示制御部と、表示制御部から出力された表示内容を表示画面に表示することによって、表示画面における表示の更新を行う表示部と、表示制御部において障害が発生したことを検知し、障害検知情報を出力すると共に表示制御部を再起動させる障害監視部と、表示制御部において発生した障害の復旧を検知し、復旧検知情報を出力する復旧監視部と、障害検知情報に応答して、表示の更新を停止し、復旧検知情報に応答して、表示の更新を開始するように表示部を制御する表示更新制御部とを備える。
【００３２】
このような構成によれば、携帯端末装置の表示制御部において障害が発生してから復旧されるまでの間、表示部による表示の更新が停止する。これにより、障害の復旧過程において、外部の表示画面に不要な表示内容が表示されることが防止される。
【００３３】
第４の局面は、表示画面を有する端末装置を動作させるためのプログラムに向けられている。当該プログラムは、端末装置を、表示画面に表示するための表示内容を出力する少なくとも１つの表示制御手段と、表示制御手段から出力された表示内容を表示画面に表示することによって、表示画面における表示を更新する表示手段と、表示制御手段において障害が発生したことを検知し、障害検知情報を出力すると共に表示制御手段を再起動する障害監視手段と、表示制御手段において発生した障害の復旧を検知し、復旧検知情報を出力する復旧監視手段と、障害検知情報に応答して、表示の更新を停止し、復旧検知情報に応答して、表示の更新を開始するように表示手段を制御する表示更新制御手段として機能させる。
【００３４】
このような構成によれば、表示制御手段において障害が発生してから復旧されるまでの間、表示手段による表示の更新が停止する。これにより、障害の復旧過程において、表示画面に不要な表示内容が表示されることが防止される。
【００３５】
第５の局面は、表示画面の表示を制御する集積回路に向けられている。当該集積回路は、表示画面に表示するための表示内容を出力する少なくとも１つの表示制御部と、表示制御部から出力された表示内容を表示画面に表示することによって、表示画面における表示の更新を行う表示部と、表示制御部において障害が発生したことを検知し、障害検知情報を出力すると共に表示制御部を再起動させる障害監視部と、表示制御部において発生した障害の復旧を検知し、復旧検知情報を出力する復旧監視部と、障害検知情報に応答して、表示の更新を停止し、復旧検知情報に応答して、表示の更新を開始するように表示部を制御する表示更新制御部として機能する回路が集積される。
【００３６】
このような構成によれば、表示制御部において障害が発生してから復旧されるまでの間、表示部による表示の更新が停止するため、集積回路の機能によって、障害の復旧過程において、表示画面に不要な表示内容が表示されることを防止することができる。
【発明の効果】
【００３７】
本発明に係る制御装置によれば、障害復旧時の不要な画面表示を防止し、端末装置の操作性を向上させることが可能となる。また、ユーザ入力に起因する新たな障害の発生を防止することによって、障害復旧中のユーザ操作に影響されず、確実に障害復旧を行うことが可能となる。
【００３８】
また、本発明に係る携帯端末装置によれば、障害復旧時の不要な画面表示を防止し、形態端末装置の操作性を向上させることが可能となる。
【００３９】
また、本発明に係るプログラムまたは集積回路によれば、障害復旧時の不要な画面表示を防止し、端末装置の操作性を向上させることが可能となる。
【発明を実施するための最良の形態】
【００４０】
（第１の実施形態）
図１は、本発明の第１の実施形態に係る制御装置の概略構成を示すブロック図である。図１に示される制御装置１００は、入力通知部１０１と、表示制御部１０２と、表示部１０３と、障害監視部１０４と、入力通知制御部１０５と、復旧監視部１０６と、表示更新制御部１０７とを備えている。この実施形態に係る制御装置１００は、例えば携帯電話、ＰＤＡ、デジタルカメラ、車載機器等のような表示画面を有する端末装置において、表示画面の表示を制御するための装置である。
【００４１】
表示制御部１０２は、端末装置の表示画面（図示せず）に表示するための表示内容を、表示部１０３へと出力する。また、表示制御部１０２は、その内部状態が変化する度に、内部状態を示す情報を含む状態更新情報を復旧監視部１０６へと出力する。表示制御部１０２における内部状態とは、表示制御部１０２が保有するデータやパラメータの状態をいい、例えば、表示制御部１０２が処理待ちの状態であることを示す状態、データを展開中であることを示す状態、また、データを送信中であることを示す状態等が挙げられる。特に、この実施形態においては、内部状態は、表示部１０３へと出力される表示内容を含んでいる。
【００４２】
表示部１０３は、表示制御部１０２から出力された表示内容を、例えばＬＣＤやＣＲＴのようなディスプレイよりなる表示画面（図示せず）上に表示することによって、表示画面における表示の更新を実行する。また、表示部１０３は、後述する表示更新制御部１０７からの指示に従って、表示内容の表示の更新を停止する。
【００４３】
障害監視部１０４は、表示制御部１０２の動作を監視して、表示制御部１０２に障害が発生したことを検知する。障害監視部１０４は、表示制御部１０２において障害が発生したことを検知すると、入力通知制御部１０５、復旧監視部１０６及び表示更新制御部１０７へと障害が発生したことを通知する。具体的には、障害監視部１０４は、例えば信号やデータ等よりなる障害検知情報を出力する。また、障害監視部１０４は、表示制御部１０２における障害を復旧するために、表示制御部１０２を再起動させる。
【００４４】
障害監視部１０４による表示制御部１０２における障害の検知は、様々な方法によって実現することができる。例えば、障害監視部１０４は、所定の時間間隔毎に表示制御部１０２が正常に表示内容を表示部１０３へと送信していることを確認し、一定の時間内に表示内容の送信が行われない場合に、表示制御部１０２において障害が発生したと判定することができる。また、表示制御部１０２に障害が発生したときに、表示制御部１０２が障害の発生を示す情報を出力し、障害監視部１０４は、表示制御部１０２により出力された情報に基づいて、障害が発生したことを検知しても良い。
【００４５】
更に、障害監視部１０４は、表示制御部１０２において障害が発生したことを検知してから、復旧監視部１０６からの出力によって表示制御部１０２の障害の復旧が完了したことを検知するまでの間に、再度表示制御部１０２において障害が発生したことを検知した場合と、復旧監視部１０６からの復旧中断の出力を検知した場合とには、復旧監視部１０６からの指示に従って、表示制御部１０２の再起動を中止し、表示制御部１０２を終了させる。尚、この場合においても、障害を検知するために、例えば上述した何れかの障害検知方法を適用することができる。そして、障害監視部１０４は、表示制御部１０２を終了させた後、入力通知制御部１０５及び表示更新制御部１０７へと復旧中断情報を出力する。尚、このような場合として、例えば、表示制御部１０２自体の故障等が考えられる。
【００４６】
復旧監視部１０６は、表示制御部１０２において発生していた障害が復旧されたことを検知する。復旧監視部１０６は、表示制御部１０２における障害が復旧されたことを検知すると、入力通知制御部１０５、障害監視部１０４、表示更新制御部１０７へと障害が復旧したことを通知する。具体的には、復旧監視部１０６は、例えば信号やデータ等よりなる復旧検知情報を出力する。また、復旧監視部１０６は、表示制御部１０２から出力された状態更新情報を記憶する状態更新情報記憶部１０８を含んでいる。
【００４７】
復旧監視部１０６による表示制御部１０２の復旧の検知は、様々な方法で実現することができる。例えば、復旧監視部１０６は、障害が発生する直前に表示制御部１０２から出力された状態更新情報と、障害が発生した後に最初に通知された状態更新情報とを比較して、これらが一致する場合に表示制御部１０２の障害が復旧されたと判定することができる。より具体的には、復旧監視部１０６は、まず、状態更新情報記憶部１０８から、障害監視部１０４から出力された障害検知情報を検知する前に、最後に表示制御部１０２から出力された状態更新情報を読み出す。次に、復旧監視部１０６は、読み出した状態更新情報と、障害監視部１０４から出力された障害検知情報を検知した後に、最初に障害監視部１０４から出力された状態更新情報とを比較し、これらが一致する場合に、表示制御部１０２における障害が復旧されたと判定する。
【００４８】
また、別の方法として、復旧監視部１０６は、障害監視部１０４から出力された障害検知情報を検知した後、最初に障害監視部１０４から出力された状態更新情報を検知したときに、表示制御部１０２における障害の復旧が完了した判定しても良い。
【００４９】
尚、復旧監視部１０６は、上記の２つの判定方法の両方を備えていても良い。この場合、復旧監視部１０６がいずれの判定方法を使用するかは、システム設計時に予め決定されても良いし、表示制御部１０２の種類や障害発生時の表示内容等に応じて動的に切り替えられても良い。また、復旧監視部１０６が表示制御部１０２において発生した障害が復旧したことを判定することができる方法であれば、上記の２つの方法以外の方法が採用されても良い。
【００５０】
復旧監視部１０６は、表示制御部１０２において障害が発生した後に、更に一定時間が経過した場合や、表示制御部１０２の復旧処理を中断すべき特定の入力通知情報が入力通知部１０１から出力された場合には、復旧中断を障害監視部１０４に通知する。より具体的には、復旧監視部１０６は、例えば信号やデータよりなる復旧中断情報を出力する。尚、特定の入力通知情報とは、例えば、端末装置における強制終了キーの押下による入力や、端末装置が特に携帯電話である場合の電話着信やメール着信、端末装置のバッテリー容量が低下したときの通知、アラーム機能やスケジューラによる処理といった特定の入力を通知するための信号やデータ等よりなる情報のことをいう。
【００５１】
表示更新制御部１０７は、障害監視部１０４から出力された障害検知情報に応答して、表示部１０３による表示の更新を停止させる。また、復旧監視部１０６から出力された復旧検知情報に応答して、表示部１０３による表示の更新を開始させる。
【００５２】
入力通知部１０１は、キーやマウスおよび通信装置等からの入力を入力通知情報として表示制御部１０２へ出力する。入力通知部１０１は、後述する入力通知制御部１０５からの指示に従って、入力通知情報の表示制御部１０２への出力を停止する。また、本実施形態においては、入力通知部１０１は、入力通知情報の表示制御部１０２への出力を停止している間に、入力通知情報を復旧監視部１０６へと通知する。
【００５３】
入力通知制御部１０５は、障害監視部１０４から出力された障害検知情報に応答して、入力通知部１０１による入力通知情報の表示制御部１０２への送信を停止させる。また、復旧監視部１０６から出力された復旧検知情報に応答して、再び、入力通知部による表示制御部１０２への送信を開始させる。
【００５４】
図２Ａは、本発明の第１の実施形態に係る制御装置によって実行される障害復旧処理を示すフローチャートであり、図２Ｂは、図２Ａに続く障害復旧処理を示すフローチャートである。
【００５５】
まず、図２Ａ及び図１を参照して、障害監視部１０４は、表示制御部１０２に障害が発生したことを検知する（ステップＳ２０１）。次に、障害監視部１０４は、表示制御部１０２において障害が発生したことを通知する（ステップＳ２０２）。この際、障害監視部１０４は、入力通知制御部１０５、復旧監視部１０６、表示更新制御部１０７へと障害検知情報を出力する。
【００５６】
入力通知制御部１０５は、障害監視部１０４から出力された障害検知情報に応答して、入力通知部１０１から表示制御部１０２への入力通知情報の出力を停止させる（ステップＳ２０３）。また、表示更新制御部１０７は、障害監視部１０４から出力された障害検知情報に応答して表示部１０３による表示の更新を停止させる（ステップＳ２０４）。更に、復旧監視部１０６は、障害検知情報を検知する直前に表示制御部１０２から出力された状態更新情報と現在時刻とを記憶する（ステップＳ２０５）。
【００５７】
次に、障害監視部１０４は、表示制御部１０２を再起動させる（ステップＳ２０６）。
【００５８】
次に、障害監視部１０４は、表示制御部１０２において障害を再度検知したかどうかを判定する（ステップＳ２０７）。障害監視部１０４が、表示制御部１０２において再度障害が発生したことを検知した場合には（ステップＳ２０７でＹＥＳ）、制御装置１００は、後述する復旧中断処理１を実行する。一方、制御装置１００は、表示制御部１０２において再度障害が発生したことを検知しない場合には（ステップＳ２０７でＮＯ）、ステップＳ２０８の処理を実行する。
【００５９】
次に、復旧監視部１０６は、表示制御部１０２において障害が発生してから一定時間が経過したか否かを判定する。より詳細には、復旧監視部１０６は、現在の時刻が、復旧監視部１０６がステップＳ２０５において記憶した時刻から一定時間経過しているかどうかを判定する。現在の時刻が、障害発生時の時刻から一定時間経過している場合には（ステップＳ２０８でＹＥＳ）、制御装置１００は、後述する復旧中断処理１を実行する。一方、障害が発生した時刻から一定時間経過していない場合には（ステップＳ２０８でＮＯ）、制御装置は、ステップＳ２０９の処理を実行する。
【００６０】
次に、復旧監視部１０６は、入力通知部１０１から特定の入力通知情報を受信したか否かを判定する（ステップＳ２０９）。より詳細には、復旧監視部１０６は、入力通知部１０１から出力される複数の入力通知情報が、予め定められた特定の入力通知情報であるかどうかを順に判定する。復旧監視部１０６が、入力通知部１０１から特定の入力通知情報を受け取った場合には（ステップＳ２０９でＹＥＳ）、例えば電話着信のような特定の入力通知に対応するために、制御装置１００は、後述する復旧中断処理２を実行する。一方、復旧監視部１０６が入力通知部１０１から特定の入力通知情報を受信しなかった場合には（ステップＳ２０９でＮＯ）、制御装置１００は、結合子Ａに続く処理を実行する。
【００６１】
続いて、図２Ｂ及び図１を参照して、復旧監視部１０６は、表示制御部１０２が表示内容を更新したか否かを判定する（ステップＳ２１０）。より詳細には、復旧監視部１０６は、障害監視部１０４から出力された障害検知情報を検知した後に、表示制御部１０２から状態更新情報を受信した場合に、表示制御部１０２が表示内容を更新したと判定する。表示制御部１０２が表示内容を更新した場合には（ステップＳ２１０でＹＥＳ）、表示制御部１０２は、表示内容を表示部１０３へと出力する（ステップＳ２１１）と共に、状態更新情報を障害監視部１０４へと出力する（ステップＳ２１２）。その後、制御装置１００は、後続のステップＳ２１３の処理を実行する。一方、表示制御部１０２が表示内容を更新していない場合には（ステップＳ２１０でＮＯ）、制御装置１００は、結合子Ｂから図２ＡにおけるステップＳ２０５に戻って、上記の処理を繰り返す。
【００６２】
ここで、制御装置１００は、復旧監視部１０６が復旧を判定するために設定されている復旧判定方法に応じた処理を行う。復旧監視部１０６が表示制御部１０２による表示更新時に復旧を判定する判定方法が設定されている場合（ステップＳ２１３でＹＥＳ）、制御装置１００は、ステップＳ２１４の処理を実行する。このような復旧検知方法を採用する制御装置１００によれば、復旧監視部１０６は、表示制御部１０２が動作を再開したことに基づいて障害の復旧を検知するため、復旧監視部１０６は、表示制御部１０２が復旧したことを確実に検知することが可能となる。
【００６３】
一方、復旧監視部１０６が表示制御部１０２による表示更新時に復旧を判定する判定方法が設定されていない場合には（ステップＳ２１３でＮＯ）、復旧監視部１０６は、表示内容が障害発生直前の表示内容と一致するか否かを判定する（ステップＳ２１４）。より詳細には、復旧監視部１０６は、状態更新情報記憶部１０８に記憶されている障害発生前の最新の状態更新情報に含まれる表示内容と、ステップＳ２１２において表示制御部１０２から受信した状態更新情報に含まれる表示内容とが一致するか否かを判定する。表示内容が障害発生直前の表示内容と一致する場合には（ステップＳ２１４でＹＥＳ）、制御装置１００は、ステップＳ２１５の処理を実行する。また、表示内容が障害発生直前の表示内容と一致しない場合には（ステップＳ２１４でＮＯ）、制御装置１００は、結合子Ｂから図２ＡにおけるステップＳ２０７に戻って、上記の処理を繰り返す。
【００６４】
復旧監視部１０６は、障害が復旧したことを検知した後、表示更新制御部１０７及び入力通知制御部１０５へと復旧完了を通知する（ステップＳ２１５）。この際、復旧監視部１０６は、表示更新制御部１０７及び入力通知制御部１０５へと復旧検知情報を出力する。
【００６５】
そして、表示更新制御部１０７は、表示更新を再開させる（ステップＳ２１６）。より詳細には、表示更新制御部１０７は、復旧監視部１０６から出力された復旧検知情報に応答して、表示の更新を開始するように表示部１０３を制御する。
【００６６】
また、入力通知制御部１０５は、入力通知を再開させる（ステップＳ２１７）。より詳細には、入力通知制御部１０５は、復旧監視部１０６から出力された復旧検知情報に応答して、入力通知情報を表示制御部１０２へと出力するように入力通知部１０１を制御する。
【００６７】
制御装置１００は、以上のような制御処理を行うことによって、表示制御部１０２において発生した障害の復旧を完了する。
【００６８】
図３は、図２Ａに示される復旧中断処理１の詳細を示すフローチャートである。図３を参照しながら、表示制御部１０２の障害を復旧している間に障害監視部１０４が再度障害の発生したことを検知した場合（図２ＡのステップＳ２０７でＹＥＳ）、および障害監視部１０４が表示制御部１０２を再起動させてから一定時間経過した後に障害の復旧が完了しない場合（図２ＡのステップＳ２０８でＹＥＳ）における復旧中断処理１の流れについて説明する。
【００６９】
まず、障害監視部１０４は、表示制御部１０２を終了させる（ステップＳ３０１）。次に、障害監視部１０４は、障害の発生を通知するための態様で表示制御部１０２を起動する（ステップＳ３０２）。本実施形態においては、障害監視部１０４は、障害が発生したことをユーザに通知するための画面を表示するために、障害の発生を通知するための起動方法を指定して表示制御部１０２を起動する。尚、障害の発生を通知するための態様としては、起動方法を指定する代わりに、障害を通知するための専用の表示制御部を別途設け、当該表示制御部を起動することが考えられる。このような障害を通知するための専用の表示制御部を起動することによっても、障害が発生したことをユーザに通知することが可能である。
【００７０】
また、障害監視部１０４は、表示制御部１０２の復旧を中断したことを、表示更新制御部１０７及び入力通知制御部１０５へと通知する（ステップＳ３０３）。具体的には、障害監視部１０４は、復旧中断情報を表示更新制御部１０７及び入力通知制御部１０５へと出力する。
【００７１】
次に、表示更新制御部１０７は、障害監視部１０４から出力された復旧中断情報に応答して、表示部１０３による表示の更新を再開させる（ステップＳ３０４）。また、入力通知制御部１０５は、障害監視部１０４から出力された復旧中断情報に応答して、入力通知部１０１による入力通知を再開させる（ステップＳ３０５）。
【００７２】
制御装置１００は、以上のような制御処理を行うことによって、障害復旧処理１を完了する。
【００７３】
尚、本実施形態に係る復旧中断処理１において、障害の発生をユーザへと通知しない場合には、ステップＳ３０２の処理を省略しても良い。
【００７４】
図４は、図２Ａに示される復旧中断処理２の詳細を示すフローチャートである。図４を参照しながら、表示制御部１０２における障害を復旧している間に、外部からの特定の入力が発生した場合（図２ＡのステップＳ２０９でＹＥＳ）における復旧中断処理２について説明する。尚、特定の入力とは、例えば、ユーザによって端末装置の強制終了キーが押下されることや、電話着信などによりデータを受信すること等が挙げられる。
【００７５】
まず、障害監視部１０４は、表示制御部１０２を終了させる（ステップＳ４０１）。次に、障害監視部１０４は、特定の入力処理のための態様で表示制御部１０２を起動する（ステップＳ４０２）。本実施形態においては、障害監視部１０４は、特定の入力を処理するための起動方法を指定して表示制御部１０２を起動する。より具体的な例として、例えば、復旧監視部１０６が、電話が着信したことを通知する入力処理情報を受けた場合には、電話着信画面を表示するための起動方法を指定して表示制御部１０２を起動する。また、別の具体例として、強制終了の通知を受けた場合には、終了画面を表示するための起動方法を指定して表示制御部を起動する。
【００７６】
尚、特定の入力処理のための態様としては、特定の入力通知情報を処理するための表示制御部１０２の起動方法を指定する代わりに、特定の入力通知情報に対応する表示制御部を別途設け、当該表示部を起動することが考えられる。例えば、電話着信を処理する専用の表示制御部を別途用意し、電話の着信を通知する入力通知情報に応答して、当該専用の表示制御部を起動することによって、電話着信画面を表示しても良い。また、終了画面を表示するための表示制御部を別途用意し、強制終了を指示する入力通知情報に対応して、当該専用の表示制御部を起動することによって、終了画面を表示しても良い。
【００７７】
また、障害監視部１０４は、表示制御部１０２の復旧を中断したことを、表示更新制御部１０７及び入力通知制御部１０５へと通知する（ステップＳ４０３）。具体的には、障害監視部１０４は、復旧中断情報を表示更新制御部１０７及び入力通知制御部１０５へと出力する。
【００７８】
次に、表示更新制御部１０７は、障害監視部１０４から出力された復旧中断情報に応答して、表示部１０３による表示の更新を再開させる（ステップＳ４０４）。また、入力通知制御部１０５は、障害監視部１０４から出力された復旧中断情報に応答して、入力通知部１０１による入力通知を再開させる（ステップＳ４０５）。
【００７９】
制御装置１００は、以上のような制御処理を行うことによって、障害中断処理２を完了する。
【００８０】
尚、本実施形態に係る復旧中断処理２において、強制終了を指示する入力通知情報を受信した場合に終了画面を表示しない場合には、ステップＳ４０２の処理を省略しても良い。
【００８１】
ここで、本実施形態に係る制御装置による効果を、従来例に係る装置の効果と対比しながら説明する。尚、以下に説明する図５〜図８は、例えば携帯電話機において、状態Ａから状態Ｄへと、順に表示画面が遷移する過程を示している。また、図５〜図８において、状態Ａは、表示制御部において障害が発生する直前の状態を示し、状態Ｂは、障害が発生した表示制御部の復旧が開始された直後の状態を示し、状態Ｃは、表示制御部の復旧されている途中の状態を示し、状態Ｄは、表示制御部の復旧処理が完了したとき又は中断されたときの状態を示している。
【００８２】
図５は、従来の障害復帰方法を実現する装置によって、障害の復旧過程の間に表示される画面の遷移図である。
【００８３】
まず、状態Ａを参照して、例えば携帯電話よりなる端末装置５００の表示画面５０１には、表示内容５０２が表示されている。障害監視部が表示制御部において障害が発生したことを検知すると、障害監視部は、表示制御部における障害を復旧するために表示制御部を再起動させる。
【００８４】
このとき、表示画面５０１には、まず、状態Ｂに示されるように、バックグラウンドで実行されているアプリケーション等の画面が表示される。次に、表示制御部の再起動が進行すると、表示画面５０１には、状態Ｃに示されるように、表示制御部の起動画面が表示される。
【００８５】
そして、再起動によって表示制御部における障害の復旧が完了した後に、表示画面５０１には、障害が発生する直前に表示されていた表示内容５０２が表示される。
【００８６】
このように、例えばウィンドウシステムに代表されるような複数の表示制御部が１つの表示部を共有する仕組みを採用している端末装置においては、次のような問題が生じるおそれがある。
【００８７】
まず、図５の状態Ｂ及び状態Ｃに示されるように、表示内容５０２を表示していた表示制御部の障害復旧処理中に、表示画面５０１には、バックグラウンドで実行されている他の表示制御部による表示内容５０３や、表示制御部の起動画面５０４が表示される。その結果、端末装置５００を使用するユーザが意図しない表示内容の変化によって、ユーザを混乱させたり、ユーザの操作性を損なったりするおそれがある。
【００８８】
また、障害が発生した表示制御部の復旧処理中に、ユーザが操作キーを押下することによって生じる外部入力に起因して、バックグラウンドで実行されている他の表示制御部が誤動作をしてしまうおそれもある。
【００８９】
更に、障害が発生した表示制御部の再起動中に、例えばキー操作等のユーザ入力が発生すると、再起動中の表示制御部は、ユーザ入力に対応した処理を実行しようとするため、表示制御部において障害発生前の状態との不整合が生じるおそれがある。これにより、予期されない障害が新たに発生してしまう可能性がある。
【００９０】
これに対して、本実施形態に係る制御装置によれば、次のように端末装置の画面が遷移する。
【００９１】
図６は、本発明の第１の実施形態に係る制御装置によって、障害の復旧過程の間に表示される画面の遷移図である。
【００９２】
まず、状態Ａを参照して、本実施形態に係る制御装置を含む端末装置６００の表示画面６０１には、表示内容６０２が表示されている。上述したように、障害監視部が表示制御部において障害が発生したことを検知すると、表示制御部を再起動させると共に、表示制御部及び入力通知制御部へと障害検知情報を出力する。障害検知情報の出力に応答して、表示制御部は、表示部による表示の更新を停止させる。
【００９３】
表示部が表示の更新を停止した結果、状態Ｂ及び状態Ｃに示されるように、表示画面６０１には、表示制御部において障害が発生する直前と同様の表示内容６０２が継続して表示される。
【００９４】
そして、再起動によって表示制御部における障害の復旧が完了した後に、状態Ｄに示されるように、表示画面６０１には、障害が発生する直前に表示されていた表示内容６０２が表示される。
【００９５】
このように、本実施形態に係る制御装置によれば、表示制御部において障害が発生してから復旧されるまでの間、表示部による表示の更新が停止するため、障害の復旧過程において、表示画面に不要な表示内容が表示されることが防止される。
【００９６】
また、表示制御部に含まれる表示内容が、障害が発生する直前の状態と一致したときに、表示部は、表示の更新を再開するため、制御装置は、障害の発生前後で途切れることなく、表示画面に表示内容を表示することが可能となる。
【００９７】
更に、障害検知情報の出力に応答して、入力通知制御部は、入力通知部による入力通知情報の表示制御部への出力を停止させる。これにより、ユーザが操作キーを押下することによって外部入力が発生しても、入力通知情報が表示制御部には出力されないため、再起動中の表示制御部や、バックグラウンドで起動している表示制御部において新たな障害が発生することを回避することが可能となる。
【００９８】
図７は、本発明の第１の実施形態に係る制御装置によって、障害の復旧過程において再度障害が発生した場合に表示される画面の遷移図である。
【００９９】
図７の状態Ａ〜状態Ｃに示されるように、本実施形態に係る制御装置を含む端末装置７００の表示画面７０１には、表示制御部において障害が発生する直前に表示されていた表示内容７０２が継続して表示されている。
【０１００】
ここで、状態Ｃの直後、すなわち、表示制御部の復旧が完了する前に再度表示制御部において障害が発生した場合を想定する。この場合、本実施形態における制御装置は、上述したように、図３に示される復旧中断処理１を実行する。復旧中断処理１において、障害監視部は、再度障害が発生したことを検知すると、再起動中の表示制御部を終了させた後、装置に障害が発生したことを通知するための態様で表示制御部を起動する。
【０１０１】
その結果、表示画面７０１には、状態Ｄに示されるような障害をユーザに通知するための画面が表示される。
【０１０２】
このように、本実施形態に係る制御装置によれば、復旧監視部が表示制御部に障害が発生してから所定時間内に障害の復旧を検知しない場合には、表示部は、表示の更新を再開するため、表示制御部が復旧できない場合に、表示部による表示の更新が停止した状態が継続するのを回避することが可能となる。
【０１０３】
また、表示制御部の復旧処理中に更に障害が発生すると、障害監視部は、表示制御部を終了させるため、表示制御部を再起動することによって復旧できない障害が発生した場合に、表示制御部に連続して障害が発生することを回避することが可能となる。
【０１０４】
図８は、本発明の第１の実施形態に係る制御装置によって、特定の入力が発生した場合に表示される画面の遷移図である。
【０１０５】
図８の状態Ａ〜状態Ｃに示されるように、端末装置８００の表示画面８０１には、表示制御部において障害が発生する直前に表示されていた表示内容８０２が継続して表示されている。
【０１０６】
ここで、状態Ｃの直後、すなわち、表示制御部の復旧が完了する前に特定の入力として電話の着信が発生した状態を想定する。この場合、本実施形態における制御装置は、上述したように、図４に示される復旧中断処理２を実行する。復旧中断処理２において、復旧監視部は、電話の着信を示す入力通知情報を受信すると、再起動中の表示制御部を終了させた後、電話の着信を処理するための態様で表示制御部を起動する。
【０１０７】
その結果、表示画面８０４には、状態Ｄに示されるような電話が着信したことをユーザに通知する画面が表示される。
【０１０８】
このように、本実施形態に係る制御装置によれば、表示制御部の復旧処理中に特定の入力が発生すると、復旧監視部は、表示制御部の再起動を中断して、特定の入力通知情報に対応する態様で表示制御部を起動する。これにより、表示制御部の復旧処理の間においても、表示制御部は、外部からの特定の入力に対応する処理を優先して実行することが可能となる。
【０１０９】
以上のように、本実施形態に係る制御装置によれば、障害監視部が障害を検知してから復旧監視部が復旧完了を検知するまでの間、障害監視部は、表示更新制御部による表示の更新と、入力通知制御部による外部入力の通知を一時的に停止させる。これにより、障害復旧途中に不要な画面表示が行われたり、障害復旧途中に発生した入力に起因する誤動作を防止したりすることが可能となる。また、障害復旧時の操作性を向上させることも可能となる。更に、障害復旧途中において外部入力が発生するか否かにかかわらず、確実に障害を復旧することが可能になる。
【０１１０】
尚、上記の第１の実施形態においては、表示制御部において障害が発生してから復旧されるまでの間に、入力通知部は、外部からの入力を復旧監視部へと出力しているが、障害復旧中のユーザのキー操作等を無効化しない場合には、発生した外部入力を入力通知情報として内部にバッファリングしても良い。そして、入力通知制御部が、障害中断情報に応答して、表示制御部への入力通知情報の出力を開始させたときに、入力通知部は、バッファリングされていた入力を順次表示制御部へと出力するように構成しても良い。また、表示制御部の復旧が中断された場合には、バッファリングされていた入力通知情報を破棄しても良い。
【０１１１】
また、上記の第１の実施形態においては、表示制御部において障害が発生してから復旧されるまでの間に、入力通知制御部は、入力通知情報を復旧監視部へと出力するように入力通知部を制御するが、入力通知制御部は、少なくとも表示制御部への入力通知情報を停止するように制御すれば良い。
【０１１２】
更に、上記の第１の実施形態においては、制御装置は、表示内容の表示の更新のみを停止させているが、端末装置における音の出力や、ＬＥＤの発光など、表示内容の表示の更新以外の出力を一時的に停止させるために、表示装置は、表示更新制御部と同様の制御処理を実行する音出力制御部やＬＥＤ制御部を更に備えていても良い。
【０１１３】
更に、上記の第１の実施形態においては、復旧監視部が復旧検知情報を表示更新制御部と入力通知制御部とに出力しているが、復旧監視部は、復旧検知情報を障害監視部へと出力し、復旧検知情報の出力に応答して、障害監視部が表示更新制御部と入力通知制御部とに復旧が完了したことを示す情報を出力しても良い。
【０１１４】
更に、上記の第１の実施形態においては、特定の外部入力が発生した際に、復旧監視部が表示更新制御部と入力通知部と復旧中断情報を出力しているが、復旧監視部は、復旧中断情報を障害監視部へと出力し、復旧中断情報の出力に応答して、障害監視部が表示更新制御部と入力通知制御部とに復旧が中断されたことを示す情報を出力しても良い。
【０１１５】
更に、上記の第１の実施形態において、表示更新制御部に対して出力される復旧検知情報と復旧中断情報とは、同一であっても良い。
【０１１６】
更に、上記の第１の実施形態は、記憶装置（ＲＯＭ、ＲＡＭ、ハードディスク等）に格納された上述の処理手順をＣＰＵに実行させることができるプログラムを、ＣＰＵに実行させることによっても実現できる。この場合、当該プログラムは、記録媒体を介して記憶装置内に格納された後に実行されても良いし、記憶媒体から直接実行されても良い。ここでの記憶媒体は、ＲＯＭやＲＡＭ、フラッシュメモリ等の半導体メモリ、フレキシブルディスクやハードディスク等の磁気ディスクメモリ、ＣＤ−ＲＯＭやＤＶＤ、ＢＤ等の光ディスク、メモリーカード等の記録媒体をいう。また、記録媒体は、電話回線や搬送路等の通信媒体も含む概念である。
【０１１７】
更に、上記の第１の実施形態において、図１に示される機能ブロックは、集積回路であるＬＳＩとして実現されても良い。この機能ブロックは、１チップ化されても良いし、一部または全部を含むように１チップ化されていても良い。ここでは、ＬＳＩと述べたが、集積度の違いによっては、ＩＣ、システムＬＳＩ、スーパーＬＳＩ、ウルトラＬＳＩと称呼されることもある。また、集積回路化の手法は、ＬＳＩに限られるものではなく、専用回路または汎用プロセッサで集積回路化を行っても良い。また、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを用いても良い。さらには、半導体技術の進歩または派生する別技術によりＬＳＩに置き換わる集積回路化の技術が登場すれば、当然、その技術を用いて機能ブロックを集積化しても良い。バイオ技術の適用等が可能性としてあり得る。
【０１１８】
更に、上記の第１の実施形態は、携帯端末装置として実現されても良い。この場合、携帯端末装置は、例えば携帯電話、ＰＤＡ、デジタルカメラ、車載機器等のような表示画面を有する携帯端末装置として実現されても良い。また、例えばディスプレイ装置等の外部の表示画面への表示を制御する携帯端末装置として実現されても良い。
【産業上の利用可能性】
【０１１９】
本発明に係る制御装置、携帯端末装置及びプログラムは、障害発生時に再起動によって障害を復旧させる表示機器において有用である。また、音声出力機器等の用途にも応用できる。
【図面の簡単な説明】
【０１２０】
【図１】本発明の第１の実施形態に係る制御装置の概略構成を示すブロック図
【図２Ａ】本発明の第１の実施形態に係る制御装置によって実行される障害復旧処理を示すフローチャート
【図２Ｂ】図２Ａに続く障害復旧処理を示すフローチャート
【図３】図２Ａに示される復旧中断処理１の詳細を示すフローチャート
【図４】図２Ａに示される復旧中断処理２の詳細を示すフローチャート
【図５】従来の障害復帰方法を実現する装置によって、障害の復旧過程の間に表示される画面の遷移図
【図６】本発明の第１の実施形態に係る制御装置によって、障害の復旧過程の間に表示される画面の遷移図
【図７】本発明の第１の実施形態に係る制御装置によって、障害の復旧過程において再度障害が発生した場合に表示される画面の遷移図
【図８】本発明の第１の実施形態に係る制御装置によって、特定の入力が発生した場合に表示される画面の遷移図
【図９】従来の障害復帰方法を実現する表示システムの要部を示すブロック図
【符号の説明】
【０１２１】
１００  制御装置
１０１  入力通知部
１０２  表示制御部
１０３  表示部
１０４  障害監視部
１０５  入力通知制御部
１０６  復旧監視部
１０７  表示更新制御部
１０８  状態更新情報記憶部
【図１】
0004250188.tif 000002
【図２Ａ】
0004250188.tif 000003
【図２Ｂ】
0004250188.tif 000004
【図３】
0004250188.tif 000005
【図４】
0004250188.tif 000006
【図５】
0004250188.tif 000007
【図６】
0004250188.tif 000008
【図７】
0004250188.tif 000009
【図８】
0004250188.tif 000010
【図９】
0004250188.tif 000011